(57)【特許請求の範囲】
【請求項１】
複数種の内容物および塗布具が収容されたコンパクト容器であって、
上面に内容物収容凹部および塗布具収容凹部が形成された扁平な容器本体と、
前記内容物収容凹部および塗布具収容凹部を開閉する蓋体と、
前記容器本体と蓋体とを連結するヒンジ体と、を備え、
前記内容物収容凹部は容器本体の上面に複数形成されるとともに、前記蓋体およびヒンジ体は複数ずつ備えられ、
１つの蓋体により、複数の内容物収容凹部のうち１種類の内容物が収容されている内容物収容凹部、および塗布具収容凹部が開閉され、
前記容器本体は円形状板とされ、
前記蓋体は半円形状板とされて２つ備えられるとともに、閉状態で前記容器本体と外径が同等の円形状板を呈し、
前記ヒンジ体は２つ備えられるとともに、各蓋体の外周縁部において、円弧状をなす円弧部のうち直線状の直線部に隣接する部分と、前記容器本体の外周縁部と、を連結し、
これらのヒンジ体の各回転軸線は、前記容器本体の上面視でその周方向に沿い、かつ前記蓋体の直線部に対して傾斜する方向に延在し、
前記２つの蓋体の内面にはそれぞれ鏡が装着されていることを特徴とするコンパクト容器。
【請求項２】
請求項１記載のコンパクト容器であって、
前記塗布具収容凹部は容器本体の上面に複数形成され、
１つの蓋体により、内容物収容凹部および塗布具収容凹部がそれぞれ１つずつ開閉されることを特徴とするコンパクト容器。
【発明の詳細な説明】
【技術分野】
【０００１】
本発明は、コンパクト容器に関するものである。
【背景技術】
【０００２】
従来から、例えば下記特許文献１に示されるように、上面に内容物収容凹部が複数形成された扁平な容器本体と、内容物収容凹部を開閉する蓋体と、容器本体と蓋体とを連結するヒンジ体と、を備えるコンパクト容器が知られている。
【先行技術文献】
【特許文献】
【０００３】
【特許文献１】実公平５−６８９２号公報
【発明の概要】
【発明が解決しようとする課題】
【０００４】
しかしながら、前記従来のコンパクト容器では、例えば複数の内容物収容凹部のうちの１つに収容されている内容物だけを使用したい場合であっても、蓋体を開くと全ての内容物収容凹部が開放されてしまうため、例えば使用頻度が比較的少ない内容物等では早期に劣化するおそれがあった。
【０００５】
本発明は、このような事情を考慮してなされたもので、複数の内容物収容凹部のうち、使用したい内容物が収容されている内容物収容凹部だけを選択的に開閉することができるコンパクト容器を提供することを目的とする。
【課題を解決するための手段】
【０００６】
上記課題を解決して、このような目的を達成するために、本発明のコンパクト容器は、複数種の内容物および塗布具が収容されたコンパクト容器であって、上面に内容物収容凹部および塗布具収容凹部が形成された扁平な容器本体と、前記内容物収容凹部および塗布具収容凹部を開閉する蓋体と、前記容器本体と蓋体とを連結するヒンジ体と、を備え、前記内容物収容凹部は容器本体の上面に複数形成されるとともに、前記蓋体およびヒンジ体は複数ずつ備えられ、１つの蓋体により、複数の内容物収容凹部のうち１種類の内容物が収容されている内容物収容凹部、および塗布具収容凹部が開閉され、前記容器本体は円形状板とされ、前記蓋体は半円形状板とされて２つ備えられるとともに、閉状態で前記容器本体と外径が同等の円形状板を呈し、前記ヒンジ体は２つ備えられるとともに、各蓋体の外周縁部において、円弧状をなす円弧部のうち直線状の直線部に隣接する部分と、前記容器本体の外周縁部と、を連結し、これらのヒンジ体の各回転軸線は、前記容器本体の上面視でその周方向に沿い、かつ前記蓋体の直線部に対して傾斜する方向に延在し、前記２つの蓋体の内面にはそれぞれ鏡が装着されていることを特徴とする。
【０００７】
本発明によれば、内容物収容凹部が容器本体の上面に複数形成されるとともに、ヒンジ体および蓋体が複数ずつ備えられ、１つの蓋体により開閉される内容物収容凹部に１種類の内容物が収容されているので、複数の内容物収容凹部のうち、使用したい内容物が収容されている内容物収容凹部だけを選択的に開閉することができる。
また、１つの蓋体を開くだけで、１種類の内容物が収容されている内容物収容凹部のみならず、塗布具収容凹部をも開放されるので、塗布具を取り出すためだけの別の蓋体を開く必要がなく、取り扱い性を向上させることもできる。
また、開位置にある一方の蓋体が、このコンパクト容器の上面視で、容器本体の外側に向かうに従い漸次、閉位置にある他方の蓋体の前記直線部に沿って延びる仮想線から離れる方向に延在することとなり、コンパクト容器が蓋体を広げた方向に偏って大きく広がるのを抑制することが可能になり、蓋体を開いた状態にあるコンパクト容器をぐらつかせ難くして安定して保持することができる。
また、一方の蓋体を開いて開放させた内容物収容凹部内の内容物を被塗布部に塗布するに際し、閉位置にある他方の蓋体の外面と容器本体の下面とを指で挟んでコンパクト容器を保持することにより、前述の開放された内容物収容凹部が手で覆われることを抑制することも可能になる。
以上より、開位置にある蓋体の内面に装着された鏡に被塗布部を映しながら、塗布具を用いて容易に内容物を塗布することができる。
なお、２つの蓋体の双方を開くと、それぞれの前記直線部が、このコンパクト容器の上面視で容器本体の外側に向かうに従い漸次、互いに離間するＶ字状をなす姿勢となる。したがって、容器本体の外周縁部において２つのヒンジ体が連結されている周方向部分を中心に、このコンパクト容器の上面視で、容器本体と、２つの蓋体と、をほぼ均等に位置させることが可能になり、蓋体を開いた状態にあるコンパクト容器をより一層ぐらつかせ難くして安定して保持することができる。
【０００８】
ここで、前記塗布具収容凹部は容器本体の上面に複数形成され、１つの蓋体により、内容物収容凹部および塗布具収容凹部がそれぞれ１つずつ開閉されてもよい。
【０００９】
この場合、１つの蓋体を開くことで開放された塗布具を用いて、同時に開放された内容物を被塗布部に塗布することにより、容器本体の上面に形成された複数の内容物収容凹部同士の間で互いの内容物が塗布具を介して混ざり合うのを防ぐことができる。
【発明の効果】
【００１３】
本発明によれば、複数の内容物収容凹部のうち、使用したい内容物が収容されている内容物収容凹部だけを選択的に開閉することができる。
【図面の簡単な説明】
【００１４】
【図１】本発明に係る一実施形態として示したコンパクト容器において１つの蓋体を開いた状態を示す上面図である。
【図２】図１のコンパクト容器のＸ−Ｘ線矢視断面図である。
【図３】本発明に係る他の実施形態として示したコンパクト容器において１つの蓋体を開いた状態を示す上面図である。
【発明を実施するための形態】
【００１５】
以下、図面を参照し、本発明の実施の形態について説明する。
本実施形態に係るコンパクト容器１には、複数種の内容物Ｗおよび塗布具１９が収容されるとともに、図１に示されるように、上面１１に内容物収容凹部１２および塗布具収容凹部１３が形成された扁平な容器本体１４と、内容物収容凹部１２および塗布具収容凹部１３を開閉する蓋体１５と、容器本体１４と蓋体１５とを連結するヒンジ体１６と、が備えられている。
【００１６】
容器本体１４は円形状板とされている。以下、平面視円形状をなす容器本体１４の中心を通る仮想線を容器軸Ｏといい、また容器軸Ｏに直交する方向を径方向といい、さらに容器軸Ｏを中心に周回する方向を周方向という。
容器本体１４の上面１１における外周縁部のうちの一部には、径方向の外側に向けて開口する凹部１７が形成されている。凹部１７を画成する内面のうち径方向の外側を向く部分の上端部には、径方向の外側に向けて第１係合突部１７ａが突設されている。
容器本体１４の外周縁部において、容器軸Ｏを径方向に挟む凹部１７の反対側に位置する部分には、径方向の外側に向けて開口する貫通孔１８が容器軸Ｏ回りに間隔をあけて２つ形成されている。２つの貫通孔１８はそれぞれ、容器本体１４の平面視において、凹部１７の中央部と容器軸Ｏとを通る中心線Ｌ１から等距離ずつ離れて配置されている。なお、貫通孔１８は、容器本体１４の平面視において、周方向に長い長方形状を呈している。
【００１７】
内容物収容凹部１２は、容器本体１４の上面１１に複数形成されている。
図示の例では、内容物収容凹部１２は２つ形成されており、容器本体１４の上面１１において、前記中心線Ｌ１を挟む両側に各別に配置されている。それぞれの内容物収容凹部１２の外周縁は、容器本体１４の平面視において、容器本体１４の外周縁のうち凹部１７と貫通孔１８との間に位置する部分に沿って延びる円弧部１２ａと、前記中心線Ｌ１に沿って延びる弦部１２ｂと、により構成されている。また、各内容物収容凹部１２には、互いに種類の異なる内容物Ｗが各別に収容されている。なお、内容物Ｗとしては、例えば化粧料や薬剤等が挙げられる。
【００１８】
塗布具収容凹部１３は、容器本体１４の上面１１に複数形成されている。
図示の例では、塗布具収容凹部１３は、内容物収容凹部１２と同数の２つ形成されており、容器本体１４の上面１１において、２つの内容物収容凹部１２同士の間に位置する部分のうち、前記中心線Ｌ１を挟む両側に各別に配置されている。それぞれの塗布具収容凹部１３は、容器本体１４の平面視において、前記中心線Ｌ１に沿って長い長方形状を呈している。
なお、塗布具収容凹部１３内に収容される塗布具１９は、棒体１９ａと、棒体１９ａの長さ方向における一端部に取り付けられたパフ体１９ｂと、を備えている。また、各塗布具収容凹部１３には、塗布具１９が１つ収容されている。
【００１９】
蓋体１５およびヒンジ体１６は、複数ずつ備えられている。
蓋体１５は、２つ備えられるとともに、閉状態で容器本体１４と外径が同等の円形状板を呈する半円形状板とされている。図示の例では、蓋体１５は、容器本体１４とは別部材となっている。
そして本実施形態では、１つの蓋体１５により、複数の内容物収容凹部１２のうち１種類の内容物Ｗが収容されている内容物収容凹部１２、および塗布具収容凹部１３が開閉されるようになっている。
【００２０】
図示の例では、１つの蓋体１５により、内容物収容凹部１２および塗布具収容凹部１３がそれぞれ１つずつ開閉される。また、２つの蓋体１５の内面にはそれぞれ、鏡２０が装着されている。なお、それぞれの鏡２０は、互いに同じ種類のものであってもよいし、例えば凹（凸）面鏡と平面鏡等のように、互いに異なる種類のものであってもよい。
さらに、各蓋体１５の外周縁部において、円弧状をなす円弧部１５ａと、直線状の直線部１５ｂの一端部と、の接続部分に、下方に向けて係止板１５ｃが突設されている。そして、この係止板１５ｃにおいて径方向の内側を向く内面に、前記第１係合突部１７ａにアンダーカット嵌合する第２係合突部１５ｄが径方向の内側に向けて突設されている。
なお図示の例では、係止板１５ｃにおいて径方向の外側を向く外面の下端部は、図２に示されるように、径方向の内側に向けて窪んでいる。また、係止板１５ｃの下端と前記凹部１７の下端との間には、上下方向の隙間が設けられている。さらに、閉位置にある蓋体１５の外周縁のうち直線部１５ｂに位置する部分は、図１に示されるように、前記中心線Ｌ１上に位置している。
【００２１】
ヒンジ体１６も２つ備えられるとともに、各蓋体１５の円弧部１５ａのうち直線部１５ｂの他端部に隣接する部分（以下、隣接部分という）と、容器本体１４の外周縁部と、を連結している。
ヒンジ体１６は、蓋体１５の前記隣接部分に下方に向けて突設されるとともに、容器本体１４の貫通孔１８内に配置された連結体１６ａと、容器本体１４の貫通孔１８内に配設されるとともに、容器本体１４の上面視で周方向に沿い、かつ蓋体１５の直線部１５ｂに対して傾斜する方向に直線状に延びる支持軸１６ｂと、を備えている。
【００２２】
連結体１６ａの下端部には、周方向に沿って直線状に貫通し、下方に向けて開口する軸受孔１６ｃが形成されている。そして、この軸受孔１６ｃ内に支持軸１６ｂが嵌合されることにより、連結体１６ａを介して蓋体１５が、支持軸１６ｂにその軸回りに回転自在に支持されている。なお図示の例では、支持軸１６ｂは、その両端部が前記貫通孔１８の内面のうち周方向を向く部分に接続されて容器本体１４と一体に形成され、連結体１６ａは、蓋体１５と一体に形成されている。
【００２３】
以上説明したように、本実施形態によるコンパクト容器１によれば、内容物収容凹部１２が容器本体１４の上面１１に複数形成されるとともに、ヒンジ体１６および蓋体１５が複数ずつ備えられ、１つの蓋体１５により開閉される内容物収容凹部１２に１種類の内容物Ｗが収容されているので、複数の内容物収容凹部１２のうち、使用したい内容物Ｗが収容されている内容物収容凹部１２だけを選択的に開閉することができる。
また、１つの蓋体１５を開くだけで、１種類の内容物Ｗが収容されている内容物収容凹部１２のみならず、塗布具収容凹部１３をも開放されるので、塗布具１９を取り出すためだけの別の蓋体を開く必要がなく、取り扱い性を向上させることもできる。
【００２４】
さらに本実施形態では、１つの蓋体１５により、内容物収容凹部１２および塗布具収容凹部１３がそれぞれ１つずつ開閉されるので、１つの蓋体１５を開くことで開放された塗布具１９を用いて、同時に開放された内容物Ｗを被塗布部に塗布することにより、容器本体１４の上面１１に形成された複数の内容物収容凹部１２同士の間で互いの内容物Ｗが塗布具１９を介して混ざり合うのを防ぐことができる。
【００２５】
また、図１に示されるように、開位置にある一方の蓋体１５が、このコンパクト容器１の上面視で、容器本体１４の外側に向かうに従い漸次、前記中心線Ｌ１から離れる方向に延在することとなり、コンパクト容器１が蓋体１５を広げた方向に偏って大きく広がるのを抑制することが可能になり、蓋体１５を開いた状態にあるコンパクト容器１をぐらつかせ難くして安定して保持することができる。
また、一方の蓋体１５を開いて開放させた内容物収容凹部１２内の内容物Ｗを被塗布部に塗布するに際し、閉位置にある他方の蓋体１５の外面と容器本体１４の下面とを指で挟んでコンパクト容器１を保持することにより、前述の開放された内容物収容凹部１２が手で覆われることを抑制することも可能になる。
以上より、開位置にある蓋体１５の内面に装着された鏡２０に被塗布部を映しながら、塗布具１９を用いて容易に内容物Ｗを塗布することができる。
【００２６】
なお、図１に二点鎖線で示されるように、２つの蓋体１５の双方を開くと、それぞれの前記直線部１５ｂが、このコンパクト容器１の上面視で容器本体１４の外側に向かうに従い漸次、互いに離間するＶ字状をなす姿勢となる。したがって、容器本体１４の外周縁部において２つのヒンジ体１６が連結されている周方向部分を中心に、このコンパクト容器１の上面視で、容器本体１４と、２つの蓋体１５と、をほぼ均等に位置させることが可能になり、蓋体１５を開いた状態にあるコンパクト容器１をより一層ぐらつかせ難くして安定して保持することができる。
【００２７】
なお、本発明の技術的範囲は前記実施の形態に限定されるものではなく、本発明の趣旨を逸脱しない範囲において種々の変更を加えることが可能である。
【００２８】
例えば、前記実施形態では、容器本体１１として円形状板を示したが、これに限らず楕円形状板、矩形状板、若しくは多角形状板等を採用してもよい。
さらに、前記実施形態では、ヒンジ体１６が連結体１６ａおよび支持軸１６ｂを備え、かつ蓋体１５が容器本体１４と別体とされた構成を示したが、容器本体１４、蓋体１５およびヒンジ体１６の全体が一体に形成された構成を採用してもよい。
【００２９】
また、１つの蓋体１５により、内容物収容凹部１２が１つ開閉される構成を示したが、１つの蓋体１５により、複数の内容物収容凹部１２が開閉されるようにしてもよい。
この構成において、容器本体１４の上面１１のうち１つの蓋体１５により開閉される部分に、複数の内容物収容凹部１２と、これらの内容物収容凹部１２内の内容物を混ぜ合わせて１種類の内容物を生成する混合凹部と、を形成してもよい。
すなわち、１つの蓋体１５により開閉される内容物収容凹部１２に１種類の内容物が収容されている構成であれば、前記実施形態に限らず適宜変更してもよい。
【００３０】
さらに、図３に示されるように、２つの蓋体１５を容器軸Ｏに対して互いに点対称に配設してもよい。
すなわち、凹部１７を、容器本体１４の外周縁部において容器軸Ｏに対して互いに点対称となる位置に各別に形成するとともに、貫通孔１８を、容器本体１４の外周縁部において容器軸Ｏに対して互いに点対称となる位置で、かつ凹部１７に周方向に隣接する位置に各別に形成してもよい。
この場合、一方の蓋体１５を開くときと他方の蓋体１５を開くときとで、コンパクト容器１の容器軸Ｏ回りに沿う位置を１８０°異ならせれば、両蓋体１５をそれぞれ開くときの支持軸１６ｂ回りの回転方向を互いに同じにすることができる。
【００３１】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３２】
複数の内容物収容凹部のうち、使用したい内容物が収容されている内容物収容凹部だけを選択的に開閉することができる。
【符号の説明】
【００３３】
１  コンパクト容器
１１  上面
１２  内容物収容凹部
１３  塗布具収容凹部
１４  容器本体
１５  蓋体
１５ａ  円弧部
１５ｂ  直線部
１６  ヒンジ体
２０  鏡
Ｗ  内容物
【図１】
0005436126.tif 000002
【図２】
0005436126.tif 000003
【図３】
0005436126.tif 000004